(57)【要約】  【課題】  使い捨てとすることなく何度でも繰り返して使用することができ、経済上及び環境上優れた標示用仮杭を提供する。  【解決手段】  標示用仮杭１０は、その杭本体１３及び頭部１４がプラスチックで形成されており、その頭部１４の頂面に、多数の小孔１４ａが形成されている。小孔１４ａのいずれかが選択されて測量釘１６が打ち込まれて境界点または測量点を表すことができる。小孔１４ａを測量釘１６の打ち込みの目安とすることにより、仮杭１０がプラスチックで形成されていても簡単に測量釘１６を打ち込むことができ、また、その頭部１４の頂面を破壊することがないので、測量釘１６を抜けば、再びその仮杭１０を使用することができる。【選択図】  図３
2006343266.tif 000002
【特許請求の範囲】
【請求項１】
本杭設定前に地盤内に打ち込まれ、境界点または測量点を表す標示用仮杭において、
杭本体及び頭部がプラスチックからなり、その頭部の頂面には測量釘が打ち込み可能となった多数の小孔が形成されてなる標示用仮杭。
【請求項２】
頭部の頂面には、さらに、本杭用の標示内容が付された標示キャップに設けられた突起を受ける受孔が形成され、標示キャップが頭部に被着されることにより本杭となることが可能となった請求項１記載の標示用仮杭。
【請求項３】
前記頭部に被着可能で、標示内容を表す図形、文字、記号、色彩等のパターンが付された表面を有すると共に、裏面に前記受孔に挿入可能となった突起が形成されてなる請求項２記載の標示用仮杭を本杭にするための標示キャップ。
【発明の詳細な説明】
【技術分野】
【０００１】
本発明は、本杭設定前に地盤内に打ち込まれて、境界点または測量点を表す標示用仮杭に関する。
【背景技術】
【０００２】
従来、本工事等の前に本杭を設定するのに先立って、仮杭を地盤内に打ち込むことが行なわれている。この仮杭には、通常木杭が用いられ、木杭の頂面に境界点または測量点を表す測量釘を打ち込むようにしている。
【０００３】
その後に仮杭は本杭に埋め換えられるが、埋め換える際には、再度測定を行って基準位置を計測したり、または、特許文献１または特許文献２のような仮杭の基準位置を復元させる装置を用いたりして、本杭の位置決めを行なうことが知られている。
【０００４】
【特許文献１】特開平９−２８０８６５号公報
【特許文献２】特開平２００１−５９７２３号公報
【発明の開示】
【発明が解決しようとする課題】
【０００５】
しかしながら、上述のように木杭には測量釘が打ち込まれるために、一度使用したものは再使用することができず、使い捨てとなる。このため、使用済みの木杭は廃棄処分されることが多く、経済上及び環境上好ましくないという問題がある。
【０００６】
本発明はかかる課題に鑑みなされたもので、再使用することができ、または本杭としても使用することができ、経済上及び環境上優れた標示用仮杭を提供することをその目的とする。
【課題を解決するための手段】
【０００７】
前述した目的を達成するために、請求項１記載の発明は、本杭設定前に地盤内に打ち込まれ、境界点または測量点を表す標示用仮杭において、
杭本体及び頭部がプラスチックからなり、その頭部の頂面には測量釘が打ち込み可能となった多数の小孔が形成されてなることを特徴とする。
【０００８】
請求項２記載の発明は、請求項１記載の頭部の頂面には、さらに、本杭用の標示内容が付された標示キャップに設けられた突起を受ける受孔が形成され、標示キャップが頭部に被着されることにより本杭となることが可能となった標示用仮杭を特徴とする。
【０００９】
請求項３記載の発明は、請求項２記載の前記頭部に被着可能で、標示内容を表す図形、文字、記号、色彩等のパターンが付された表面を有すると共に、裏面に前記受孔に挿入可能となった突起が形成されてなる標示用仮杭を本杭にするための標示キャップを特徴とする。
【発明の効果】
【００１０】
本発明によれば、表示用仮杭の頭部の頂面に形成された多数の小孔のいずれかが選択されて測量釘が打ち込まれることにより、境界点または測量点を表すことができる。小孔を測量釘の打ち込みの目安とすることにより、仮杭がプラスチックで形成されていても簡単に測量釘を打ち込むことができ、また、その頭部の頂面を破壊することがないので、測量釘を抜けば、再びその仮杭を使用することができる。仮杭はプラスチックで形成されているので耐久性があり、何度も繰り返して使用することができる。
【００１１】
請求項２または３記載の発明によれば、標示キャップを頭部に被着することにより、仮杭をそのまま本杭として使用することもできる。適当な標示内容が付された標示キャップを選択して被着することにより、現場に臨機応変に対応することができる。プラスチックで形成されているために本杭としての長期使用にも耐えることができる。
【発明を実施するための最良の形態】
【００１２】
以下、図面を用いて本発明の実施の形態を説明する。
図１は、本発明の実施形態による仮杭１０であり、全体としてプラスチックの一体品として構成され、おおまかに、下方側にあって先導部１２を有する杭本体１３と、上方側にある頭部１４とを備えている。この仮杭１０は、ポリエチレン、ポリプロピレン、ポリエステル、ポリカーボネート等の任意の単体材料または複合材料よりなるプラスチックから構成することができ、射出成形、ブロー成形等により成形することができる。杭本体１３と頭部１４とが一体成形されると安価に製造することができて、好ましい。
【００１３】
先導部１２は、地中に埋設することが容易なるように、先端が尖っていると好ましい。さらに、杭本体１３は、その横断面形状が連続した十字形状となっており、剛性を保持している。但し、これに限らず、仮本体１３の横断面形状は、Ｈ字、角錘、角柱、円錐、円柱形状等の任意の形状とすることが可能である。
【００１４】
頭部１４は、杭本体１３よりも横断面形状が大きくなっている。この例では、頭部の横断面形状は四角形となっているが、これに限らず、円形、三角形、多角形等の任意の形状にすることも可能である。また、頭部１４の内部は空洞となっているとよい。
【００１５】
さらに、図２に示すように、頭部１４の頂面には多数の小孔１４ａが穿設されている。小孔１４ａの内径は、市販の測量釘１６の外径よりも小さいものとするとよく、例えば、１〜３ｍｍ程度とするとよい。
【００１６】
以上のように構成される仮杭１０は、先導部１２から所定箇所に打ち込まれ、適当な高さで埋設される。次いで、測量が行なわれて、境界点または測量点が決定されると、そのポイントに対応する位置にある小孔１４ａに測量釘１６が打ち込まれる（図３参照）。
【００１７】
小孔１４ａが多数形成されているために、いずれかの小孔１４ａを選択することにより、ポイントを特定することができる。また、小孔１４ａに打ち込むので測量釘１６及び頭部１４を傷めることもなく、仮杭１０の頭部１４に打ち込むことができるようになる。測量釘１６は、仮杭１０のプラスチックの弾性を利用して、小孔１４ａを拡径しながら小孔１４ａ内に押し込まれることになり、一度小孔１４ａに打ち込まれると簡単には抜けることがない。
【００１８】
本杭に埋め換えられて、仮杭１０の使用が終了した後は、測量釘１６を小孔１４ａから抜くと、小孔１４ａは弾性により元の状態にほぼ復元することができるために、仮杭１０として何度でも使用することができる。また、仮杭１０がプラスチック製となっており、耐久性に優れているために、繰り返し使用することができる。仮杭１０を使い捨てとしないので、環境上及び経済上、好ましいものとなる。
【００１９】
図４は、本発明の第２の実施形態を表す図であり、第１実施形態と同様の部分は同一の符号を付してその説明を省略する。この例の仮杭は、本来の仮杭としての機能を持つ他に、本杭としても使用することができるものである。
【００２０】
即ち図５に示すように、この例の仮杭１０の頭部１４には、多数の小孔１４ａが形成されると共に、標示キャップ１８を受けるための本杭キャップ用の受孔１４ｂが複数形成されている。受孔１４ｂは２個〜４個程度形成されるとよく、その内径は小孔１４ａの内径よりは大きく設定される。
【００２１】
標示キャップ１８は、頭部１４が嵌合し得る内形形状をなして、頭部１４に上側から被着することができるようになっている。標示キャップ１８も、仮杭１０と同様にプラスチック製とすることができ、ポリエチレン、ポリプロピレン、ポリエステル、ポリカーボネート等の任意のプラスチックから構成することができる。但し、標示キャップ１８は、仮杭１０とは異なり、プラスチック以外の金属（アルミニウム、ステンレス、真鍮、合金等）またはセラミックス、コンクリートといった任意の材料から構成することもできる。
【００２２】
標示キャップ１８の頂面１８ａには、本杭として標示内容を表す図形、文字、記号、色彩等のパターンが付されている。図６に示すように、使用可能性のある本杭の種類に合わせて、様々なパターンが付された多数種類の標示キャップ１８を予め用意しておくとよい。
【００２３】
標示キャップ１８の頂面に対応する裏側には、複数の突起１８ｂが形成されており、突起１８ｂの側周面には複数の係止段１８ｃが形成されている。
【００２４】
第１実施形態で説明したように、仮杭１０として使用された後、本杭としてそのまま使用する場合には、仮杭１０の頭部１４に測量釘１６をつけたまま、または測量釘１６を抜き、仮杭１０を必要に応じて地盤に打ち込み直して、ポイントを調整した後、仮杭１０の根固めを行なう。次いで、仮杭１０の頭部１４に調整されたポイント等を指し示す標示キャップ１８を被せ、その突起１８ｂを頭部１４の受孔１４ｂに挿入する（図８参照）。係止段１８ｃが受孔１４ｂに係止されることで、突起１８ｂは一度受け孔１４ｂに挿入された後は簡単に抜けることはなく、標示キャップ１８と仮杭１０とは分離不能に結合されて本杭として機能する。
【００２５】
こうして、仮杭１０はプラスチック製であり耐久性があるので、そのまま本杭として十分に使用に供することができ、仮杭１０を使い捨てとしないので、環境上及び経済上、好ましいものとなる。
【図面の簡単な説明】
【００２６】
【図１】本発明の第１実施形態に係る仮杭の斜視図である。
【図２】第１実施形態の仮杭の平面図である。
【図３】第１実施形態の仮杭の使用状態を表す斜視図である。
【図４】本発明の第２実施形態に係る標示キャップと仮杭の斜視図である。
【図５】第２実施形態の仮杭の平面図である。
【図６】第２実施形態の標示キャップの幾つかの種類を表す斜視図である。
【図７】第２実施形態の標示キャップの断面図である。
【図８】第２実施形態の仮杭を本杭として使用した場合の斜視図である。
【符号の説明】
【００２７】
１０  仮杭
１３  杭本体
１４  頭部
１４ａ  小孔
１４ｂ  受孔
１６  測量釘
１８  標示キャップ
１８ａ  頂面
１８ｂ  突起
【図１】
2006343266.tif 000003
【図２】
2006343266.tif 000004
【図３】
2006343266.tif 000005
【図４】
2006343266.tif 000006
【図５】
2006343266.tif 000007
【図６】
2006343266.tif 000008
【図７】
2006343266.tif 000009
【図８】
2006343266.tif 000010